(57)【特許請求の範囲】
【請求項１】
シャワー水と整水とを切替る機能を備えた吐水装置であって、吐水装置本体の下流側端部に底面部に通水孔を設けたバルブ部を固定し、外筒部内に内筒部を設けると共に内筒部の後部にガイド筒部を設けて外筒部と内筒部とガイド筒部とが一体化した回動部材を構成し、外筒部と内筒部との間にシャワー水用通路を形成し且つシャワー水用通路の前端部にシャワー水用吐水孔を形成し、内筒部内部を整水用通路とし且つ整水用通路の前端に整水用吐水口を設け、ガイド筒部の後端面部に突部と、突部に隣接して突部よりも凹んだ上記シャワー水用通路の後端部に連通するシャワー水用連通部を形成し、突部に該突部の後端面部に開口し且つ整水用通路の後端に連通する整水用孔を形成し、該突部の後端面部に整水用孔の周囲を囲むように設けた溝部にパッキン材を嵌め込み、回動部材を吐水装置本体の端部に回動自在に取付け、上記バルブ部の底面部にガイド筒部の突部の後端面部をパッキン材を介して押し当て、回動部材の回動により通水孔が整水用孔と連通する状態と、通水孔がシャワー水用連通部と連通する状態とに切替自在としたものであり、バルブ部の底面部の外周から前方に向けて突設した前筒部に周方向に伸びる係合長孔を形成すると共に前筒部の内面に前筒部の前端から係合長孔に至る導入溝を形成し、ガイド筒部から外側方に向けて突設した係合突起が導入溝を介して係合長孔にスライド自在に嵌め込まれることで、上記パッキン材がバルブ部の底面部に押し付けられた状態を保持しながらガイド筒部がバルブ部に対して回動自在となることを特徴とするシャワー水・整水切替え機能付き吐水装置。
【請求項２】
バルブ部とガイド筒部とを嵌め込んだブッシュを吐水装置本体の下流側端部に形成した雌ねじに前側から螺合して取り付けることで、バルブ部をブッシュにより吐水装置本体に押し付けて固定し、ガイド筒部の外周に外周突部を突設し、ブッシュの内周面から内方に向けて突出すると共にその後端にガイド筒部の外周突部が当たることでガイド筒部がブッシュから前方に抜けることを防止するリブを設けたことを特徴とする請求項１に記載のシャワー水・整水切替え機能付き吐水装置。
【発明の詳細な説明】
【技術分野】
【０００１】
本発明は、シャワー水と整水とを切替えることができるシャワー水・整水切替え機能付き吐水装置に関するものである。
【背景技術】
【０００２】
従来から、シャワー水と整水とを切替る機能を備えた吐水装置が特許文献１により知られている。
【０００３】
この従来例にあっては、シャワー水と整水の吐水状態の切替えは、シャワーヘッド部の上面に設けた押釦（スイッチ片）を押すことで水路を切替えるようになっている。このような押釦を押すことで水路切替えを行う従来のプッシュ式の水路切替え機構は、部品点数が多く、部品自体も大きく、更に、構造が複雑となり、コストがアップするという問題があった。
【特許文献１】特開２００３−２４８３２号公報
【発明の開示】
【発明が解決しようとする課題】
【０００４】
本発明は上記の従来の問題点に鑑みて発明したものであって、簡単な構成の切替え機構で、シャワー水と整水との切替えができ、しかも、切替えた場合における吐水しない方からの水漏れを簡単な構成で確実に防止できるシャワー水・整水切替え機能付き吐水装置を提供することを課題とするものである。
【課題を解決するための手段】
【０００５】
上記課題を解決するために本発明に係るシャワー水・整水切替え機能付き吐水装置は、シャワー水と整水とを切替る機能を備えた吐水装置１であって、吐水装置本体２の下流側端部に底面部３に通水孔４を設けたバルブ部５を固定し、外筒部６内に内筒部７を設けると共に内筒部７の後部にガイド筒部８を設けて外筒部６と内筒部７とガイド筒部８とが一体化した回動部材１８を構成し、外筒部６と内筒部７との間にシャワー水用通路９を形成し且つシャワー水用通路９の前端部にシャワー水用吐水孔１０を形成し、内筒部７内部を整水用通路１１とし且つ整水用通路１１の前端に整水用吐水口１２を設け、ガイド筒部８の後端面部に突部１３と、突部１３に隣接して突部１３よりも凹んだ上記シャワー水用通路９の後端部に連通するシャワー水用連通部１４を形成し、突部１３に該突部１３の後端面部に開口し且つ整水用通路１１の後端に連通する整水用孔１５を形成し、該突部１３の後端面部に整水用孔１５の周囲を囲むように設けた溝部１６にパッキン材１７を嵌め込み、回動部材１８を吐水装置本体２の端部に回動自在に取付け、上記バルブ部５の底面部３にガイド筒部８の突部１３の後端面部をパッキン材１７を介して押し当て、回動部材１８の回動により通水孔４が整水用孔１５と連通する状態と、通水孔４がシャワー水用連通部１４と連通する状態とに切替自在としたものであり、バルブ部５の底面部３の外周から前方に向けて突設した前筒部２６に周方向に伸びる係合長孔２７を形成すると共に前筒部２６の内面に前筒部２６の前端から係合長孔２７に至る導入溝２７ａを形成し、ガイド筒部８から外側方に向けて突設した係合突起４５が導入溝２７ａを介して係合長孔２７にスライド自在に嵌め込まれることで、上記パッキン材１７がバルブ部５の底面部３に押し付けられた状態を保持しながらガイド筒部８がバルブ部５に対して回動自在となることを特徴とするものである。
【０００６】
このような構成とすることで、回動部材１８を回動することで、通水孔４が整水用孔１５と連通した整水用吐水口１２から整水を吐水する吐水形態と、通水孔４がシャワー水用連通部１４と連通してシャワー水用吐水孔１０からシャワー水として吐水する吐水形態とを切替えることができ、しかも、突部１３の後端面部に形成した整水用孔１５の周囲を囲むように設けられたパッキン材１７を介して突部１３の後端面部をバルブ部５の底面部３に押付けるので、回動部材１８を回動して通水孔４が整水用孔１５と連通した整水用吐水口１２から整水を吐水する吐水形態とした際には、上記パッキン材１７によりシャワー水用吐水孔１０からの水漏れを防止し、また、通水孔４がシャワー水用連通部１４と連通してシャワー水用吐水孔１０からシャワー水として吐水する吐水形態とした際には、整水用吐水口１２からの水漏れを防止することができる。
また、バルブ部５とガイド筒部８とを嵌め込んだブッシュ２８を吐水装置本体２の下流側端部に形成した雌ねじ２４に前側から螺合して取り付けることで、バルブ部５をブッシュ２８により吐水装置本体２に押し付けて固定し、ガイド筒部８の外周に外周突部４０を突設し、ブッシュ２８の内周面から内方に向けて突出すると共にその後端にガイド筒部８の外周突部４０が当たることでガイド筒部８がブッシュ２８から前方に抜けることを防止するリブ３３を設けることが好ましい。
【発明の効果】
【０００７】
本発明は、上記のように構成したので、シャワー水用吐水孔と整水用吐水口を有する回動部材を回動するだけで、簡単な構成でシャワー水の吐水、整水の吐水のいずれかを選択することができ、しかも、突部の後端面部に形成した整水用孔の周囲を囲むように設けられたパッキン材を介して突部の後端面部をバルブ部の底面部に押付けるという簡単な構成で、切替えた場合における吐水しない方からの水漏れを確実に防止することができるものであり、従来の押釦によるプッシュ式の水路切替え機構に比べて、切替え部品点数が少なくて構成が簡略化し、コストも安くなる。
【発明を実施するための最良の形態】
【０００８】
以下、本発明を添付図面に示す実施形態に基いて説明する。
【０００９】
シャワー水と整水とを切替る機能を備えた吐水装置１として添付図面に示す実施形態ではシャワーヘッド１ａの例を示している。なお、以下の実施形態の説明において、水の吐水方向を前、吐水方向と反対方向を後として説明する。
【００１０】
図１、図２に示すシャワーヘッド１ａの主体を構成する吐水装置本体２は、後端部にホース２０を接続した本体筒部２１をカバー用筒部２２内に内装固着することで構成してある。カバー用筒部２２の前端部は本体筒部２１の前端部よりも斜め前方に向けて突出した傾斜した筒部２３となっている。筒部２３の内周面には雌ねじ２４が刻設してある。
【００１１】
バルブ部５は図３に示すように筒状部２５の前端部に底面部３が形成してあり、底面部３には扇形をした通水孔４が設けてあり（添付図面に示す実施形態では点対称となった２個の通水孔４を設けてあり）、底面部３の外周から前方に前筒部２６を一体に突設してあり、前筒部２６には周方向に係合長孔２７が形成してあり、前筒部２６の内面の前端から係合長孔２７に至る導入溝２７ａが形成してある。
【００１２】
ガイド筒部８は図４に示すように有底筒状をしていて、内周部に雌ねじ３９が刻設してあり、後端部外周に外周突部４０が突設してあり、また、ガイド筒部８の後端面部に突部１３とシャワー水用連通部１４とを形成してある。添付図面に示す実施形態では、ガイド筒部８の後端面部の一部から断面扇形をした突部１３を後方に向けて突設してあり（図に示す実施形態では断面扇形をした突部１３を点対称に２個連続して後方に向けて突設してあり）、ガイド筒部８の後端面部の突部１３を突設しない部分が突部１３よりも凹んだシャワー水用連通部１４となっている。
【００１３】
２個連続した突部１３にはそれぞれ該突部１３の後端面部に開口し且つガイド筒部８内の孔部分に連通する整水用孔１５が形成してある。２個連続した突部１３の後端面部には２個の整水用孔１５の周囲を囲むように「８の字」状に連続した溝部１６が形成してあり、該「８の字」状に連続した溝部１６内に「８の字」状に連続したパッキン材１７の端部が突出するように図４（ｃ）のように嵌め込んである。
【００１４】
突部１３の後端部には外側方に向けて係合突起４５が突設してあり、該係合突起４５はガイド筒部８の外面よりも外側方に突出している。
【００１５】
ガイド筒部８の後部がバルブ部５の前部の前筒部２６内に回動自在に嵌め込んであり、この場合、上記係合突起４５を前筒部２６の導入溝２７ａから係合長孔２７内に周方向にスライドできるように嵌め込まれることで、パッキン材１７の後部がバルブ部５の底面部３に押付けられた状態を保持されながらガイド筒部８がバルブ部５に対して回動自在となっている。
【００１６】
パッキン材１７を底面部３に押付け状態でガイド筒部８を回動すると、通水孔４が整水用孔１５と連通し且つ通水孔４とシャワー水用連通部１４とが非連通となる形態と、通水孔４がシャワー水用連通部１４とが連通し且つ通水孔４と整水用孔１５とが非連通となる形態とが切替えることができるようになっている。
【００１７】
上記バルブ部５の前部とガイド筒部８とは図５に示すようなブッシュ２８に後方から嵌め込まれる。ブッシュ２８は筒体部２９内の孔の後半部が大径孔部３０となり、前半部が大径孔部３０よりも小径の小径孔部３１となり、大径孔部３０と小径孔部３１とは段部３２を介して連設しており、また、小径孔部３１の内周面には内方にリブ３３が突設してあり、更に、ブッシュ２８の後半部の外周には雄ねじ３４が刻設してある。
【００１８】
大径孔部３０内にはバルブ部５の前部及び前端から前方に突出した前筒部２６が嵌め込んであり、小径孔部３１内にはガイド筒部８が回動自在に嵌め込んであり、ガイド筒部８の外周突部４０がブッシュ２８のリブ３３の後端に当ってガイド筒部８がブッシュ２８から前方に抜けないようになっている。また、ガイド筒部８の外面とブッシュ２８の小径孔部３１の内周面との間は連通路４３となっており、該連通路４３の後端はシャワー水用連通部１４と連通している。
【００１９】
上記のように、バルブ部５とガイド筒部８とを組み合わせたものを嵌め込んだブッシュ２８は後半部外周に設けた雄ねじ３４をカバー用筒部２２の前端部の筒部２３の雌ねじ２４に螺合する。この場合、バルブ部５は筒部２３内に嵌め込まれ、上記のように、ブッシュ２８を筒部２３に螺合して取付けることで、ブッシュ２８の後端がバルブ部５の外周に設けた外鍔部３５を押圧してバルブ部５を本体筒部２１の前端部に押付けることで、バルブ部５を吐水装置本体２に回転できないように固定するようになっている。
【００２０】
外筒部６は図６に示すように前端部にリング状をした内鍔部３６を形成してあり、内鍔部３６に多数の小孔を設けてシャワー水用吐水孔１０を形成してある。また、外筒部６の外面には摘み４２が突設してある。
【００２１】
また、内筒部７は図７に示すような外形をしており、内部には前端が整水用吐水口１２となった整水用通路１１を形成してあり、また、内筒部７の前端部外周にフランジ部３７を突設し、後部外周に雄ねじ３８を刻設してある。
【００２２】
上記内筒部７を外筒部６の内鍔部３６の中央開口に前方から嵌め込んだ状態で、内筒部７の雄ねじ３８にガイド筒部８の雌ねじ３９を螺合すると共に、外筒部６後部をブッシュ２８の前部にパッキン４１を介して回動自在に被嵌する。この場合、内筒部７のフランジ部３７を内鍔部３６の内周部の前端部に押し当てると共に、ガイド筒部８の前端部を内鍔部３６の内周部の後端部に押し当てて挟持することで、外筒部６、内筒部７、ガイド筒部８を一体に結合され、このように一体に結合された外筒部６、内筒部７、ガイド筒部８により一体に回動する回動部材１８を構成する。
【００２３】
ここで、外筒部６と内筒部７との間には連通路４３と連通するシャワー水用通路９が形成され、このシャワー水用通路９の前端部に前述の内鍔部３６に設けたシャワー水用吐水孔１０が位置することになる。また、内筒部７内部の整水用通路１１がガイド筒部８の突部１３に設けた整水用孔１５に連通する。
【００２４】
上記の構成の吐水装置１は、摘み４２を操作して回動部材１８を回動することで、図２のように通水孔４と整水用孔１５とを連通させ、整水用吐水口１２から整水を吐水する吐水形態にしたり、あるいは、図１のように通水孔４とシャワー水用連通部１４とを連通させてシャワー水用吐水孔１０からシャワー水として吐水する吐水形態にしたりすることができる。
【００２５】
このように、本発明は、シャワー水用吐水孔１０と整水用吐水口１２を有する回動部材１８を回動するだけで、シャワー水の吐水、整水の吐水のいずれかを選択することができるので、構成が簡略化できる。
【００２６】
上記通水孔４と整水用孔１５とを連通させた場合は、整水用孔１５の周囲を囲むように装着したパッキン材１７がバルブ部５の底面部３の通水孔４の周囲を囲むように押付けられることで、通水孔４からシャワー水用連通部１４側に漏水してシャワー水用吐水孔１０から水漏れしないようになっている。
【００２７】
また、通水孔４とシャワー水用連通部１４とを連通させた場合は、整水用孔１５の周囲を囲むように装着したパッキン材１７がバルブ部５の底面部３の通水孔４が存在しない部分を囲むように押付けられることで、通水孔４やシャワー水用連通部１４から整水用孔１５側に漏水して整水用吐水口１２から水漏れしないようになっている。
【００２８】
したがって、本発明においては、突部１３の後端面部に形成した整水用孔１５の周囲を囲むように設けられたパッキン材１７を介して突部１３の後端面部をバルブ部５の底面部３に押付けるという簡単な構成で、切替えた場合における吐水しない方からの水漏れを確実に防止することができ、従来の押釦によるプッシュ式の水路切替え機構に比べて、切替え部品点数が少なくて構成が簡略化し、コストも安くなる。
【図面の簡単な説明】
【００２９】
【図１】本発明のシャワー水・整水切替え機能付き吐水装置のシャワー水の吐水に切替えた状態の断面図である。
【図２】同上のシャワー水・整水切替え機能付き吐水装置の整水の吐水に切替えた状態の断面図である。
【図３】同上に用いるバルブを示し、（ａ）は斜視図であり、（ｂ）は平面図であり、（ｃ）は下面図であり、（ｄ）は正面図であり、（ｅ）は側面図であり、（ｆ）は断面図である。
【図４】同上に用いるガイド筒部を示し、（ａ）は斜視図であり、（ｂ）は平面図であり、（ｃ）はパッキン材を嵌め込んだ状態の断面図であり、（ｄ）は下面図である。
【図５】同上に用いるブッシュの斜視図である。
【図６】同上に用いる外筒の斜視図である。
【図７】同上に用いる内筒の斜視図である。
【符号の説明】
【００３０】
１  吐水装置
２  吐水装置本体
３  底面部
４  通水孔
５  バルブ部
６  外筒部
７  内筒部
８  ガイド筒部
９  シャワー水用通路
１０  シャワー水用吐水孔
１１  整水用通路
１２  整水用吐水口
１３  突部
１４  シャワー水用連通部
１５  整水用孔
１６  溝部
１７  パッキン材
１８  回動部材
【図１】
0004966174.tif 000002
【図２】
0004966174.tif 000003
【図３】
0004966174.tif 000004
【図４】
0004966174.tif 000005
【図５】
0004966174.tif 000006
【図６】
0004966174.tif 000007
【図７】
0004966174.tif 000008